(57)【要約】      （修正有）【課題】農業機械用タイヤのトレッドパターン強化構造を提供する。【解決手段】タイヤ１のトレッド面１２に、左右にずらして配置され、ショルダー部１３からトレッド面１２の中央部に斜めに引き延ばされる深溝トレッドパターン１１が設けられ、更に、トレッド面１２の中央部周りに短い縦壁部１４があり、各トレッドパターン１１の縦壁部１４及びその隣接したトレッドパターン１１の間をつなぎ、有効に支持するために、浅溝を有し、土掘削や排泥を行える、高くて狭いリブ部１５が設けられ、それによって、タイヤ１のトレッドパターン１１が地面に接地し、大きな圧力を受けている時にも、該リブ部１５の支持力で、トレッドパターン１１の耐屈曲性が強化され、トレッドパターン１１の変形量が大幅に低減され、更にタイヤ１の使用寿命を延ばし、滑り止めを高めることができる。【選択図】図１
0003216739.tif 000002
【実用新案登録請求の範囲】
【請求項１】
該タイヤのトレッド面に間隔を開けて、ショルダー部からトレッド面の中央部に斜めに引き延ばされる、一連の深溝トレッドパターンが設けられ、更に、トレッド面の中央部周りに短い縦壁部があり、各トレッドパターンは、左右にずらして配置され、該縦壁部及びその隣接したトレッドパターンの間をつなぎ、支持するために、比較的に浅溝で、高くて狭いリブ部が設けられることを特徴とする農業機械用タイヤのトレッドパターン強化構造。
【考案の詳細な説明】
【技術分野】
【０００１】
本考案は、各トレッドパターンを有效に支持し、トレッドパターンが力を受けて屈曲したときの変形量を大幅に低減させ、土の掘削を行うように、間隔を開けて配置される一連の深溝トレッドパターンの間をつなぎ、支持するためのリブ部が設置されるタイヤのトレッドパターンに関する。
【背景技術】
【０００２】
農業上のグラウンドの土掻きほぐしは周知のように、作物には、根が水分をよく吸収し、よく成長させるように行なわれるが、農業用大型機械は田んぼに用いられたとき、それが通ったところの土が固められ、そこで、材質が硬く、接地面積が大きいバイアスタイヤが土中に深く入るが、ミシュランは、超低圧ラジカルタイヤで、出来るだけ、土が固まることを避け、土壌構造を有効に保護するという技術を持っており、それによって、農作業のとき、タイヤの圧力が小さいほど、接地面積が大きくなり、整土機の牽引力が増加、土の固まりが低減するということにつながるのである。
【０００３】
ところで、周知のように、農業用タイヤのトレッドパターンは深い溝が配置され、各トレッドパターンのギャップが大きく設けられ、トレッドパターンは種類 (例えば、ラジカルタイなど)を問わず、ショルダー部からトレッド面の中央部まで、斜めに配置され、各トレッドパターンの間が左右にずらして配置され、トレッド面に独立に配置されたトレッドパターンの耐屈曲性・耐変形性を高めるため、トレッドパターンの付根部が厚く設けられる。
【０００４】
しかし、タイヤのトレッドパターンは、付け根が厚く、その接地面が圧力を受けて彎曲、変形したとき、比較的に耐屈曲性・耐変形性がよいが、それぞれ独立に設置され、トレッド面に設けられる深溝トレッドパターンは、力を受けた逆方向に支持部がないから、トレッドパターン自体が、大きな屈曲・応力に耐えており、特に、タイヤが硬い地面に接地しているとき、更に屈曲、変形しやすくなり、または、柔らかい土壌に使用される場合、トレッドパターンは根付部が厚くても、長期間の繰り返し屈曲に耐えられず、質的変化したり断裂したりして、タイヤの使用寿命が短縮されてしまうのである。
【考案の概要】
【考案が解決しようとする課題】
【０００５】
それゆえ、本考案は上述したように、知られているタイヤの深溝トレッドパターンが、荷重を受けて屈曲や変形しやすい問題を改善するため、隣接し合うトレッドパターンの間に浅溝のリブ部が配置され、その間を支持して、トレッドパターンによりよい屈曲性・応力性を持たせ、容易に屈曲や変形させないようにし、更にタイヤの使用寿命を延ばせるというタイヤのトレッドパターン強化構造を提供する。
【課題を解決するための手段】
【０００６】
本考案の課題を解決するための技術手段として、該タイヤのトレッド面に間隔を開けて、ショルダー部からトレッド面の中央部に斜めに引き延ばされる、一連の深溝トレッドパターンが設けられ、更に、トレッド面の中央部周りに短い縦壁部があり、各トレッドパターンは、左右にずらして配置され、該縦壁部及びその隣接したトレッドパターンとの間をつなぎ、支持するために、浅溝のリブ部が設けられることを特徴とする。
【考案の効果】
【０００７】
本考案の効果は上述したように、各トレッドパターンの間をつなぐ浅溝のリブ部が配置され、それによって、各トレッドパターンの間を有効に支持し、深溝トレッドパターンが地面に接地し、大きな圧力を受けているときにも、該リブ部の支持力で、トレッドパターンの屈曲、変形に対抗して、トレッドパターンの繰り返し屈曲による質的変化が抑制され、更にタイヤの使用寿命を延ばすことができるのである。
【図面の簡単な説明】
【０００８】
【図１】本考案の立体イメージ。
【図２】本考案の側面イメージ。
【図３】本考案の断面イメージ。
【考案を実施するための形態】
【０００９】
図1と図2に示すのは、本考案の深溝トレッドパターン11の農業用タイヤ1であり、該タイヤ1のトレッドパターン11はトレッド面12に、間隔を開けて左右対称に斜めに配置され、左右に配置されるトレッドパターン11は、位置をずらして配置され、各トレッドパターン11は、ショルダー部13からトレッド面12の中央部に斜めに引き延ばされ、各トレッドパターン11の付け根が厚く設けられる。
【００１０】
それと同時に、各トレッドパターン11はトレッド面12の中央部周りに短い縦壁部14があり、該縦壁部14及びその隣接したトレッドパターンの間をつなぎ、支持するために、比較的に浅溝を有する、てっぺんがやや尖り、高くて狭いリブ部15が設けられ、そのように、一連の浅溝のリブ部15を通じて、隣接し合う二つのトレッドパターン11の間を連続的に支持するように設けられる。
【００１１】
それで、トレッドパターン11の最大圧力を受ける縦壁部14はその前後に、リブ部15の支持力で支えられ、深溝トレッドパターン11は、重い機械を積載しながら、地面に接地して大きな圧力を受けていても、該リブ部15のトレッドパターン11に対する支持力で、トレッドパターンの屈曲、変形に対抗して、トレッドパターン11の繰り返し屈曲による質的変化が抑制され、更にタイヤの使用寿命を延ばせると同時に、高くて狭いリブ部で、土を掘削して、タイヤによりよい滑り止めを持たせるように設けられている。
【符号の説明】
【００１２】
１．タイヤ
１１．トレッドパターン
１２．トレッド面
１３．ショルダー部
１４．縦壁部
１５．リブ部
【図１】
0003216739.tif 000003
【図２】
0003216739.tif 000004
【図３】
0003216739.tif 000005
【手続補正書】
【提出日】平成30年4月10日(2018.4.10)
【手続補正１】
【補正対象書類名】実用新案登録請求の範囲
【補正対象項目名】請求項１
【補正方法】変更
【補正の内容】
【請求項１】
タイヤのトレッド面に間隔を開けて、ショルダー部からトレッド面の中央部に斜めに引き延ばされる、一連の深溝トレッドパターンが設けられ、更に、トレッド面の中央部周りに短い縦壁部があり、各トレッドパターンは、左右にずらして配置され、該縦壁部及びその隣接したトレッドパターンの間をつなぎ、支持するために、比較的に浅溝で、高くて狭いリブ部が設けられることを特徴とする農業機械用タイヤのトレッドパターン強化構造。